(57)【特許請求の範囲】
【請求項１】
板バネ材を三角形に折曲げて両端を弾接させ、弾接する両端部位から左右両側に突出する凸部を設けたクリップを書類等へ挟み着けるためのクリップ挟着機であって、クリップ挟着機のボディ内のクリップ収容室にプッシャを前後スライド自在に組付け、バネによりプッシャを前方へ付勢して、プッシャがクリップ収容室内のクリップを前方へ押圧するように構成したクリップ挟着機において、
ボディの後部に第１のリンクの後端部を枢着し、第１のリンクに第２のリンクの後端部を枢着し、第２のリンクの前全端部をプッシャの前面へ接離自在に形成し、第１のリンクを起立させることにより、第２のリンクの前端部がプッシャを後方へ押圧して後退させるように構成したことを特徴とするクリップ挟着機。
【請求項２】
上記クリップ収容室内の両側壁面に前後方向のガイド溝を設け、第２のリンクの前端部にガイド溝へ係合する爪や軸等を設けてガイド溝に係合させ、第１のリンクを起立させることにより、第２のリンクの前端部がガイド溝に沿って後退し、プッシャを後方へ押圧して後退させるように構成した請求項１記載のクリップ挟着機。
【請求項３】
上記クリップ収容室内に前後方向のガイド溝を設け、プッシャにガイド溝係合部を形成してガイド溝に係合させた請求項１記載のクリップ挟着機。
【請求項４】
上記第２のリンクを樹脂或いはバネ性金属等の可撓性材料で形成した請求項１、２または３記載のクリップ挟着機。
【請求項５】
板バネ材を三角形に折曲げて両端を弾接させ、弾接する両端部位から左右両側に突出する凸部を設けたクリップを書類等へ挟み着けるためのクリップ挟着機であって、ボディ内のクリップ収容室にプッシャを前後スライド自在に組付け、バネによりプッシャを前方へ付勢して、プッシャがクリップ収容室内のクリップを前方へ押圧するように構成したクリップ挟着機において、
ボディ内のクリップ収容室の後端を開放し、ボディの後部に後端開口部を開閉する後部カバーを枢着し、後部カバーとプッシャとに相互に係合するロック機構を設け、プッシャを後部カバーに係止して後部カバーを開放することにより、ボディのクリップ収容室へクリップを装填できるように構成したことを特徴とするクリップ挟着機。
【発明の詳細な説明】
【０００１】
【発明の属する技術分野】
この発明は、板バネ製ファイリングクリップを書類等の縁部に挟みつけるためのクリップ挟着機に関するものであり、特に、クリップの装填を容易化したクリップ挟着機に関するものである。
【０００２】
【従来の技術及び発明が解決しようとする課題】
書類等を綴じるためのファイリングクリップとして、図１０の拡大図に示すクリップＣが知られている。クリップＣは、板バネ材を狭角三角形に折曲げて両端を弾接させたものであり、弾接する先端部位には他の部分よりも幅が広く左右両側に突出する凸部Ｐが設けられている。
【０００３】
図示は省略するが、クリップを使用するクリップ装着機は、クリップを収容するボディにドライバがスライド自在に装着され、ボディの前端部に設けた用紙挿入溝の左右にＶ字形のバネがＶ字形の開口を前方へ向けて取付けられている。
【０００４】
クリップ挟着機の用紙挿入溝へ書類等の紙を挿入すると、バネの開口部内に紙の縁部が位置し、ドライバを親指で前方へスライドすると、ドライバがボディ内に装填されたクリップを押し出し、図１１に示すようにクリップＣの先端部から左右両側に突出する上下の凸部Ｐの間にバネＳの後端が挿入される。
【０００５】
クリップＣがさらに前進すると、クリップＣの挟圧力によってバネＳは前部が閉鎖する方向に弾性変形して用紙（図示せず）を挟圧し、クリップＣの凸部ＰがバネＳを通過したときにクリップＣが用紙に締着されてバネＳが初期状態に復帰する。
【０００６】
クリップ装着機に関しては、種々の構成のものが知られているが、ボディの後部の上面または下面にクリップ挿入口を設け、クリップ挿入口からクリップ収容室内へ複数のクリップを順次装填し、クリップで書類等を綴じた後にボディの前部を下方へ向けて、次列のクリップをボディの前部へ移動させて次の書類綴じ作業の準備をするものが一般的である。
【０００７】
また、ボディのクリップ収容部に前後スライド自在なプッシャを設け、バネによりプッシャを前方へ付勢してクリップを常時前方へ押圧し、クリップの送り操作を不要として作業性を向上させたものも知られている。
【０００８】
【発明が解決しようとする課題】
プッシャを設けたクリップ挟着機にクリップを装填する際は、プッシャを後方のロック位置まで引き下げて固定し、クリップ挿入口からクリップ収容部へクリップを装填するのであるが、操作が煩雑であったり、操作知識のないものがプッシャを後方のロック位置まで後退させる操作を行わずに、プッシャの背面側にクリップを装填する虞れがある等の問題がある。
【０００９】
そこで、上記の問題を解消して作業性を向上するために解決すべき技術的課題が生じてくるのであり、本発明の第一の目的は、クリップ装填操作を容易化することにある。また、本発明の第二の目的は、クリップ装填時の誤操作を防止することである。
【００１０】
【課題を解決するための手段】
この発明は、上記目的を達成するために提案するものであり、板バネ材を三角形に折曲げて両端を弾接させ、弾接する両端部位から左右両側に突出する凸部を設けたクリップを書類等へ挟み着けるためのクリップ挟着機であって、クリップ挟着機のボディ内のクリップ収容室にプッシャを前後スライド自在に組付け、バネによりプッシャを前方へ付勢して、プッシャがクリップ収容室内のクリップを前方へ押圧するように構成したクリップ挟着機において、
ボディの後部に第１のリンクの後端部を枢着し、第１のリンクに第２のリンクの後端部を枢着し、第２のリンクの前端部をプッシャの前面へ接離自在に形成し、第１のリンクを起立させることにより、第２のリンクの前端部がプッシャを後方へ押圧して後退させるように構成したことを特徴とするクリップ挟着機を提供するものである。
【００１２】
また、ボディ内のクリップ収容室の後端を開放し、ボディの後部に後端開口部を開閉する後部カバーを枢着し、後部カバーとプッシャとに相互に係合するロック機構を設け、プッシャを後部カバーに係止して後部カバーを開放することにより、ボディのクリップ収容室へクリップを装填できるように構成したことを特徴とするクリップ挟着機を提供するものである。
【００１３】
【発明の実施の形態】
以下、この発明の実施の一形態を図に従って詳述する。図１は請求項１及び２記載のクリップ挟着機１を示し、樹脂製ボディ２には、前後方向へクリップＣを整列させて収容するクリップ収容室３と、前部の用紙挿入溝４が形成され、前部の左右内壁にＶ字形のバネ５が開口を前方へ向けて取り付けられている。
【００１４】
クリップ収容室３の後部の上面にはクリップ装填口６が開設され、クリップ収容室３内で前後スライド自在なプッシャ７は、ボディ２の前方下部とプッシャ７とに架設した引張りバネ８により前方へ付勢されている。
【００１５】
ボディ２の前部上面に設けたドライバガイド溝９にはドライバ１０が前後スライド自在に装着され、ドライバ１０はボディ２の後部に一端を固定した引張りバネ１１により後方へ付勢されてドライバガイド溝９の後端に圧接している。
ボディ２の後部には第１のリンクである上面カバー１２が枢着されていて、上面カバー１２の中間部位に、第２のリンク１３の後端部が枢着されている。
【００１６】
図２に示すように、第２のリンク１３の前部は二又フォーク形に成形され、フォーク部１４の前端部には左右へ貫通するピン１５が取付けられている。フォーク部１４の間隔はプッシャ７の幅よりもやや広く、ピン１５の外側突出部位は、図１に示すクリップ収容室３の上方の左右両壁面に形成した前後方向のガイド溝１６に係合する。尚、第２のリンク１３の材質は、金属剛体でも、プラスティックや板バネ等の可撓性を有する材質でもよい。
【００１７】
図３に示すように、上面カバー１２の前部を上方へ引上げれば、第２のリンク１３の前端部がガイド溝１６に沿って後退し、ピン１５の内側突出部位がプッシャ７の前面に当接してプッシャ７を押し下げ、クリップ収容室３の後端へ後退させてクリップ装填口６からクリップ収容室３へクリップＣを装填可能な状態になる。
【００１８】
また、第２のリンク１３をガイド溝１６に係合させることに代えて、図４に示すように、第２のリンク１３ａをプッシャ７ａに係合させる構成としてもよい。同図に示すように、プッシャ７ａの溝７ｂへ挿入した第２のリンク１３ａの先端部には抜止めの爪部１３ｂが設けられていて、第２のリンク１３とプッシャ７ａは相対的に前後スライド自在になっている。したがって、上面カバーを開けば、第２のリンク１３ａの後部が立ち上がりつつ爪部１３ｂがプッシャ７ａを後方へ押して後退させる。
【００１９】
また、図５は請求項３記載のクリップ挟着機のプッシャスライド機構を示し、プッシャ７ａの両側から外側へ突出部７ｃを形成し、突出部７ｃをクリップ収容室の前後方向のガイド溝１６に係合させる構成としたものである。
【００２０】
尚、他にカバーの開閉操作によってプッシャを後退させる機構としては、上面カバーとプッシャとを引張りバネで連結する機構や、上面カバーにドライバをスライド自在に装着し、ドライバとプッシャとを引張りバネで連結する機構も考えられるが、いずれの場合も、上面カバーを閉じたときにプッシャを前方へ付勢するためには、上面カバーにおけるバネ係止点を前方に配置することになる。この場合は、上面カバーを開放する際にプッシャに作用する引張りバネのバネ力は上方向であり、プッシャの後方へのスライド方向に対して大きく変位しているので、プッシャの後退動作に円滑さが欠ける傾向があるが、本実施形態においては、第２のリンク１３の前端部のスライド方向とプッシャ７のスライド方向とが一致しているので、上面カバー１２の回動及びプッシャ７の後退が極めて円滑に行われるという利点がある。
【００２１】
そして、クリップ装填後に上面カバー１２の前部を押し下げてボディ２の上面に重ねれば、第２のリンク１３の前端部がガイド溝１６に沿って前進して、上面カバー１２と第２のリンク１３が折畳まれ、第２のリンク１３による押圧を解除されたプッシャ７は、クリップ収容室３内の最後尾のクリップに圧接してクリップを常時前方へ押圧する。
【００２２】
クリップ挟着機としての操作及びその際の作用は従来のクリップ挟着機と同一であり、ドライバ１０を親指で前方へスライドさせると、ドライバ１０の先端部が最前列のクリップＣの背面に係合してクリップを押出し、クリップＣは用紙挿入溝４の左右内壁に取り付けたバネ５により前部が拡開して書類等の縁部がクリップＣの先端部間に挿入され、クリップＣの左右凸部がバネ５を乗り越えたときに、クリップＣの先端部が書類等を挟み込む。これと同時に、クリップ収容室３内のクリップはプッシャ７に押圧されて前方へ送られ、ドライバ１０の操作を解除すると、ドライバ１０は引張りバネ１１によって後退して待機位置に戻る。
【００２３】
図示は省略するが、クリップ挟着機の他の実施形態として、クリップ挟着機のボディの下面側に第１のリンクである下面カバーを配置し、下面カバーと第２のリンクとを組合せてプッシャスライド機構を構成してもよい。また、クリップ挟着機１のクリップ装填口６はボディ２の後部に設けられているが、ボディ２の前部に設けてもよい。
【００２４】
尚、図６及び図７に示すクリップ挟着機２１は本発明に関連した他の発明を示すものであるが、説明の都合上、之も同時に説明するものとする。プッシャを案内するプッシャベース２２はベース部２２ａの後部に後部カバー部２２ｂが一体成形され、ボディ２３とプッシャベース２２はあり溝やＶ溝等のスライド可能な嵌合機構によって結合されていて、プッシャベース２２は着脱自在となっている。
【００２５】
ボディ２３の下面及び後端部は開放されており、プッシャベース２２をボディ２３の後方から挿入して装着するとボディ２３の後端部及び下面が被蔽される。プッシャベース２２の前後方向のガイド２２ｃに係合しているプッシャ２４には引張りバネ２５の一端が係止され、引張りバネ２５はプッシャベース２２の前部の穴２２ｄからガイド２２ｃの下面へ反転してガイド２２ｃの下面に係止され、プッシャ２４を前方へ付勢している。
【００２６】
プッシャベース２２はボディ２３から完全に引抜けるようにしてもよく、また、ストッパ等の手段によってボディ２３から引抜かれる直前で停止するようにしてもよい。いずれにしても、プッシャベース２２を引出してボディ２３の後端開口を露出すれば、後端開口からボディ２３内へクリップを装填でき、装填完了後にプッシャベース２２を押し込めば、使用可能な状態となる。
【００２７】
図８は請求項６記載のクリップ挟着機３１を示し、従来形のプッシャ内蔵クリップ挟着機と同様に、ボディ３２の上面に配置したドライバ３３と下面に配置したプッシャ３４は引張りバネ３５によって連結されている。
【００２８】
ボディ３２の後部には、上方へ回動して後端開口を開閉することができる後部カバー３６が枢着されていて、図８（ｂ）に示すように、ボディ３２の下面に設けた前後方向のプッシャガイド溝３２ａは、後部カバー３６の下面に設けたプッシャガイド溝３６ａに連続している。
【００２９】
プッシャ３４と後部カバー３６には弾性係止爪３７と爪係合部３８等によるロック機構が設けられており、プッシャ３４を手動操作により後部カバー３６のガイド溝３６ａ内へ後退させてロック機構により係止し、図９に示すように、後部カバー３６を回動してボディ３２の後端開口を開放することにより、後端開口からクリップ収容室内へクリップを装填できる。
【００３０】
装填完了後に後部カバー３６を回動してボディ３２の後端開口を閉鎖し、プッシャ３４のロックを解除すれば、クリップ収容室内のクリップはプッシャ３４に押されて前方へ送られ、使用準備が完了する。
【００３１】
尚、この発明は上記の実施形態に限定するものではなく、この発明の技術的範囲内において種々の改変が可能であり、この発明がそれらの改変されたものに及ぶことは当然である。
【００３２】
【発明の効果】
以上説明したように、請求項１乃至４記載のクリップ挟着機は、第１のリンクである上面カバーまたは下面カバーを引き上げれば、第１のリンクに連結した第２のリンクを介してプッシャが後退するとともにクリップ装填口が開放されてクリップを装填することができる。
【００３４】
請求項５記載のクリップ挟着機は、プッシャを後方へ移動し、ボディの後部に枢着された後部カバーに係止して後部カバーを開けば、ボディの後端開口が開放されて後端開口からクリップを装填することができる。
【００３５】
したがって、本発明のクリップ挟着機は、何れもクリップの装填が容易に行え、且つ、プッシャの背面側にクリップを装填する等の誤操作の虞れも解消され、取扱い性が向上する。
【図面の簡単な説明】
【図１】請求項２記載の発明の実施形態を示し、クリップ挟着機の側面断面図。
【図２】図１のクリップ挟着機の第２のリンクとプッシャの斜視図。
【図３】図１のクリップ挟着機の上面カバーを開放した状態の側面断面図。
【図４】請求項１記載の発明の実施形態を示し、第２のリンクとプッシャの斜視図。
【図５】請求項３記載の発明の実施形態を示し、第２のリンクとプッシャの斜視図。
【図６】  本発明に関連したクリップ挟着機の側面図。
【図７】図６のクリップ挟着機のプッシャベースを引出した状態の斜視図。
【図８】  請求項５記載の発明の実施形態を示し、（ａ）はクリップ挟着機の側面図、（ｂ）は底面図である。
【図９】図８のクリップ挟着機の後部カバーを開いた状態の側面図。
【図１０】クリップを示し、（ａ）は側面図、（ｂ）は平面図である。
【図１１】クリップがクリップ挟着機のバネに係合した状態を示す解説図。
【符号の説明】
１        クリップ挟着機
２        ボディ
３        クリップ収容室
５        バネ
６        クリップ装填口
７        プッシャ
８        引張りバネ
１０        ドライバ
１１        引張りバネ
１２        上面カバー
１３        第２のリンク
１６        ガイド溝
２１        クリップ挟着機
２２        プッシャベース
２３        ボディ
２４        プッシャ
２５        引張りバネ
３１        クリップ挟着機
３２        ボディ
３３        ドライバ
３４        プッシャ
３５        引張りバネ
３６        後部カバー
３７        係止爪
３８        爪係合部
【図１】
0003646522.tif 000002
【図２】
0003646522.tif 000003
【図３】
0003646522.tif 000004
【図４】
0003646522.tif 000005
【図５】
0003646522.tif 000006
【図６】
0003646522.tif 000007
【図７】
0003646522.tif 000008
【図８】
0003646522.tif 000009
【図９】
0003646522.tif 000010
【図１０】
0003646522.tif 000011
【図１１】
0003646522.tif 000012